(57)【要約】【課題】転がり難く、容易に一対の箸をテーブル上に並べて置くことができ、さらに繰り返し使用によっても歯形などの傷が付き難く、また熱い汁物等を扱った場合にも柄の部分が熱くなり難い箸を提供すること。【解決手段】柄の部分２１ａは木（竹を含む）或いは合成樹脂で形成され、先端部分２１ｂはステンレス、アルミニウム等の金属により形成され、柄の部分２１ａの下端には、該下端から長手方向に沿って穴２２が形成されており、該穴２２内には、棒状の永久磁石２４が配設されている箸２１とした。【選択図】        図４
2007282904.tif 000002
【特許請求の範囲】
【請求項１】
一対の箸のそれぞれの同一位置に、箸の長手方向に沿って穴を形成し、該穴に永久磁石をそれぞれ配設したことを特徴とする箸。
【請求項２】
上記穴が、箸の上端から長手方向に沿って形成されていることを特徴とする、請求項１に記載の箸。
【請求項３】
上記箸が、柄の部分は木（竹を含む）或いは合成樹脂で形成され、先端部分は金属により形成されていることを特徴とする、請求項１に記載の箸。
【請求項４】
上記穴が、柄の部分の下端から長手方向に沿って形成され、該穴が、先端部分の柄の部分への接続によって塞がれることを特徴とする、請求項３に記載の箸。
【請求項５】
一対の箸のそれぞれの同一位置に、箸の先端部をテーブル上から浮かせる突起部が設けられていることを特徴とする、請求項１〜４のいずれかに記載の箸。
【発明の詳細な説明】
【技術分野】
【０００１】
本発明は、箸に関し、特に、何度も使用することを前提とした使い込み型の箸に関するものである。
【背景技術】
【０００２】
箸には、大きく分けて２種類がある。その一つは、仕上がりを良くした、毎日の３度の家庭における食事等において使用する使い込み型の箸、もう一つは、割り箸のような使い捨て型の箸である。
【０００３】
割り箸のような使い捨て型の箸は、木製や竹製のものが多いが、近年の自然保護、森林保護の観点、さらにはゴミの問題から、このような使い捨て型の箸の使用を控えることが奨励されており、今後、家庭以外のレストラン、料亭、学校、病院等においても、何度も使用することを前提とした使い込み型の箸が増えることが予想される。
【０００４】
ここで、割り箸と異なり、使い込み型の箸をレストラン、料亭等において使用する場合において問題となることがらは、割り箸は使用前においては、２本の箸が一体となっているためにテーブル上に並べた状態で簡単にセットすることができるが、使い込み型の箸は、２本の箸を丁寧に並べて置かないと離れてしまい、また、少しの振動でも移動して位置がかわるため、バラバラになって見苦しく、失礼になることがある。
【０００５】
また、使い込み型の箸としては、漆を塗った木製の箸や、ステンレス等の金属製の箸が多用されているが、木製の箸の場合には、先端に歯による噛み跡が残ったり、使用を重ねるにつれて傷が付き易く、また、高温多湿の時期にあっては、乾燥が悪かったり吸湿したりして、雑菌が繁殖する憂いがあった。一方、ステンレス等の金属製の箸である場合には、傷が付き難くまた衛生的ではあるが、重量が重いために使いづらく、また熱が伝わり易いために高温の汁物等を混ぜた場合には柄の部分も直ぐに熱くなり、持ちづらくなると言う課題があった。
【０００６】
さらに、衛生面等の理由から、箸の先端部をテーブルに着けずに置くために箸置きを使用することが好ましいが、箸のセット等とは別に、箸置きをテーブル上にセットする手間、箸置きを片付ける手間、箸置きを洗う手間等が生じ、面倒なものであった。
【発明の開示】
【発明が解決しようとする課題】
【０００７】
本発明は、上述した背景技術が有する種々の問題点に鑑み成されたものであって、その目的は、転がり難く、容易に一対の箸をテーブル上に並べて置くことのできる箸を提供することにある。また、上記に加えて、繰り返し使用によっても歯形などの傷が付き難く、また熱い汁物等を扱った場合にも柄の部分が熱くなり難い箸を提供することにある。さらに、上記に加えて、箸置きを使わずに箸の先端部をテーブル上から浮かせて置くことのできる箸を提供することにある。
【課題を解決するための手段】
【０００８】
上記した目的を達成するため、請求項１の箸は、一対の箸のそれぞれの同一位置に、箸の長手方向に沿って穴を形成し、該穴に永久磁石をそれぞれ配設したことを特徴とする。  また、請求項２の箸は、上記請求項１の箸において、上記穴が、箸の上端から長手方向に沿って形成されていることを特徴とする。
また、請求項３の箸は、上記請求項１の箸において、上記箸が、柄の部分は木（竹を含む）或いは合成樹脂で形成され、先端部分はステンレス、アルミニウム等の金属により形成されていることを特徴とする。
さらに、請求項４の箸は、上記請求項３の箸において、上記穴が、柄の部分の下端から長手方向に沿って形成され、該穴が、先端部分の柄の部分への接続によって塞がれることを特徴とする。
さらに、請求項５の箸は、上記請求項１〜４のいずれかに記載の箸において、一対の箸のそれぞれの同一位置に、箸の先端部をテーブル上から浮かせる突起部が設けられていることを特徴とする。
【発明の効果】
【０００９】
上記した請求項１の本発明によれば、一対の箸のそれぞれの同一位置に永久磁石が配設されているため、箸を軽く揃えて近づけるだけできちんと揃い、その後に僅かな振動を加えてもバラバラになることはないため、転がり難く、容易に一対の箸をテーブル上にきちんと並べて置くことができる。また、永久磁石は箸の長手方向に沿って形成した穴内に配設されているため、外部からは見えず、例えば子供が興味を持って箸を扱うようになり、箸を持つことが上手になる。さらには、箸に穴を開けてそこに永久磁石を埋め込むだけであるため、製造が容易であると共に、コスト的にも有利な箸となる。
また、上記した請求項２の本発明によれば、上記請求項１の発明の効果に加え、永久磁石を配設する穴が、箸の上端から長手方向に沿って形成されているものであるため、その製造がさらに容易となり、また、箸の強度等を弱めることが少ないため、違和感のない外形の箸とすることができる。
また、上記した請求項３の本発明によれば、上記請求項１の発明の効果に加え、柄の部分は熱が伝わり難く、手触りのよい木（竹を含む）或いは合成樹脂で形成され、先端部分は傷が付き難く、しかも衛生的に保つことが容易なステンレス、アルミニウム等の金属により形成されているため、繰り返し使用によっても歯形などの傷が付き難く、また熱い汁物等を扱った場合にも柄の部分が熱くなり難い箸を提供することができる。
さらに、上記した請求項４の本発明によれば、上記請求項３の発明の効果に加え、永久磁石を配設する穴が、柄の部分の下端から長手方向に沿って形成され、該穴が、先端部分の柄の部分への接続によって塞がれるものとしているため、穴を塞ぐ別部材が不要となり、製造コストを低く抑えることができると共に、永久磁石は箸の長手方向中心付近に配設されることとなり、扱いやすい箸を提供することができる。
さらに、上記した請求項５の本発明によれば、上記請求項１〜４の発明の効果に加え、箸の先端部をテーブル上から浮かせる突起部を設けたため、箸置きを使用することなく、箸を衛生的にテーブル上に置くことができ、また、当然のことながら、箸置きをテーブル上にセットする手間、箸置きを片付ける手間、箸置きを洗う手間等がなくなる。
【発明を実施するための最良の形態】
【００１０】
以下、上記した本発明に係る箸を、図面に示した実施の形態に基づいて説明する。
なお、図１は、本発明に係る箸の第１の実施の形態を示した分解斜視図、図２は、図１の箸を揃えて置いた状態を示した斜視図である。また、図３は、本発明に係る箸の第２の実施の形態を示した分解斜視図、図４は、本発明に係る箸の第３の実施の形態を示した分解斜視図、図５は、図４の箸を揃えて置いた状態を示した斜視図である。また、図６は、さらに好ましい構成を付加した本発明に係る箸の実施の形態を示した斜視図と側面図である。
【００１１】
図１に示した本発明に係る箸１は、全体が断面円形の棒体であり、先端にいくに従い細くなっている。材質は特には限定されないが、手触り、また熱が伝わり難いこと、更には加工の容易性等から、木（竹を含む）或いは合成樹脂で形成されており、必要に応じて、漆などによる表面塗装が施されている。
【００１２】
箸１の上端には、該上端から長手方向に沿って穴２が形成されている。この穴２は、直径２〜５ｍｍ程度で、長さ５〜１５ｍｍ程度に形成されている。また、この穴２の入口付近には、雌ねじ３が刻設されている。
【００１３】
上記穴２内には、棒状の永久磁石４が挿入される。この永久磁石４の種類も特には限定されない。また、この永久磁石４の形状寸法は、該永久磁石４の磁力、箸１の材質等を勘案して、上記穴２の形状寸法と共に適宜設定される。
【００１４】
永久磁石４が挿入された穴２は、上記雌ねじ３に螺合する雄ねじ５が設けられた蓋体６によって塞がれ、永久磁石４の脱落を防止すると共に、外観性を良くしている。
なお、蓋体６によって塞ぐことなく、永久磁石４を接着材等によって穴２内に固定する構造としても良く、また永久磁石４自体に雄ねじを加工し、穴２の雌ねじ３に螺合する構造としても良い。
【００１５】
上記のように構成された本発明に係る箸１は、一対の箸１，１のそれぞれの同一位置に永久磁石４，４が配設されているため、Ｓ極とＮ極が向き合う位置において互いに引き合い、箸を軽く揃えて近づけるだけできちんと揃い、図２に示したように、一対の箸１，１が磁力により一体となるため、円形の箸であるにもかかわらず転がり難く、その後に僅かな振動を加えてもバラバラになることはないため、容易に一対の箸１，１をテーブル上にきちんと並べて置くことができる。
【００１６】
図３に示した第２の実施の形態に係る本発明の箸１１は、柄の部分が断面四角形で、先端にいくに従い断面円形となり、且つ細くなっている棒体である。材質は特には限定されないが、手触り、また熱が伝わり難いこと、更には加工の容易性等から、木（竹を含む）或いは合成樹脂で形成されており、必要に応じて、やはり漆などによる表面塗装が施されている。
【００１７】
箸１１の上端には、該上端から長手方向に沿って穴１２が形成されており、該穴１２の入口付近には、雌ねじ１３が刻設されている。上記穴１２内には、棒状の永久磁石１４が挿入され、上記雌ねじ１３に螺合する雄ねじ１５が周壁に形成された蓋体１６によって塞がれる。なお、この実施の形態においても、蓋体１６によって塞ぐことなく、永久磁石１４を接着材等によって穴１２内に固定する構造としても良い。
【００１８】
上記のように構成された本発明に係る箸１１は、やはり一対の箸１１，１１を軽く揃えて近づけるだけできちんと揃い、その後に僅かな振動を加えてもバラバラになることはないため、容易に一対の箸をテーブル上にきちんと並べて置くことができる。
【００１９】
図４に示した第３の実施の形態に係る本発明の箸２１は、柄の部分（全体の６割程度の部分）２１ａと、先端部分（残りの４割程度の部分）２１ｂとが異なる材質により形成されており、柄の部分２１ａは、熱が伝わり難く、手触りのよい木（竹を含む）或いは合成樹脂で形成され、先端部分２１ｂは、傷が付き難く、しかも衛生的に保つことが容易なステンレス、アルミニウム等の金属により形成されている。そして、全体として、柄の部分が断面四角形で、先端にいくに従い断面円形となり、且つ細くなっている棒体に形成されている。柄の部分２１ａには、必要に応じて、漆などによる表面塗装が施されている。
【００２０】
柄の部分２１ａの下端には、該下端から長手方向に沿って穴２２が形成されており、該穴２２の入口付近には、雌ねじ２３が刻設されている。上記穴２２内には、棒状の永久磁石２４が挿入される。先端部分２１ｂの上端には、上記雌ねじ２３に螺合する雄ねじ２５が突設され、該先端部分２１ｂの柄の部分２１ａへの螺合による接続によって、穴２２が塞がれ、永久磁石２４の脱落を防止される。
なお、柄の部分２１ａと先端部分２１ｂとの接続は、螺合によることなく、接着材等によって接続しても良い。
【００２１】
上記のように構成された本発明に係る箸２１は、やはり一対の箸２１，２１を軽く揃えて近づけるだけできちんと揃い、その後に僅かな振動を加えてもバラバラになることはないため、図５に示したように、容易に一対の箸をテーブル上にきちんと並べて置くことができる。
また、柄の部分２１ａは熱が伝わり難く、手触りのよい木（竹を含む）或いは合成樹脂で形成され、先端部分２１ｂは傷が付き難く、しかも衛生的に保つことが容易なステンレス、アルミニウム等の金属により形成されているため、繰り返し使用によっても歯形などの傷が付き難く、また熱い汁物等を扱った場合にも柄の部分が熱くなり難い箸を提供することができる。
さらに、永久磁石２４を配設する穴２２が、柄の部分２１ａの下端から長手方向に沿って形成され、該穴２２が、先端部分２１ｂの柄の部分２１ａへの接続によって塞がれるものとしているため、穴２２を塞ぐ別部材が不要となり、製造コストを低く抑えることができると共に、永久磁石２４は箸２１の長手方向中心付近に配設されることとなり、扱いやすい箸を提供することができる。
【００２２】
図６は、さらに好ましい構成を付加した本発明に係る箸３１を示したものであり、一対の箸３１，３１のそれぞれの同一位置（箸の長手方向中央より若干先端よりの部分）には、箸３１の先端部をテーブル上から浮かせる突起部３２が形成されている。この突起部３２は、箸本体と一体に形成したものでも、別体を接着等により付けたものでも良い。
【００２３】
また、箸３１の先端部分には、挟んだ食物等を滑り落ちにくくするための凹凸３３が形成されている。この凹凸３３は、凹溝でも、凸条でも、さらにはサンドペーパをかけたり、サンドブラストを吹き付けたりして、表面をザラザラにしたものであっても良い。
【００２４】
箸３１には、上記した構成の他、図３に示したと同様の構成が施されており、その構成部分には、同一の符号を付してここではその説明は省略する。
【００２５】
上記のように構成された本発明に係る箸３１は、図３に示した実施の形態に係る箸１１と同様の効果を達成できると共に、それに加えて、箸３１の先端部をテーブル上から浮かせる突起部３２を設けたため、箸置きを使用することなく、箸を衛生的にテーブル上に置くことができ、また、当然のことながら、箸置きをテーブル上にセットする手間、箸置きを片付ける手間、箸置きを洗う手間等がなくなる。また、先端部分に設けた凹凸３３の存在によって、食物を容易に摘むことができる。
【００２６】
以上、本発明に係る箸の種々の実施の形態を説明したが、本発明は、何ら既述の実施の形態に限定されず、特許請求の範囲に記載した本発明の技術的思想の範囲内において、さらに様々な変形および変更が可能であることは当然である。
【図面の簡単な説明】
【００２７】
【図１】本発明に係る箸の第１の実施の形態を示した分解斜視図である。
【図２】図１の箸を揃えて置いた状態を示した斜視図である。
【図３】本発明に係る箸の第２の実施の形態を示した分解斜視図である。
【図４】本発明に係る箸の第３の実施の形態を示した分解斜視図である。
【図５】図４の箸を揃えて置いた状態を示した斜視図である。
【図６】さらに好ましい構成を付加した本発明に係る箸の実施の形態を示した図であって、（ａ）は斜視図、（ｂ）は側面図である。
【符号の説明】
【００２８】
１，１１，２１，３１    箸
２，１２，２２    穴
３，１３，２３    雌ねじ
４，１４，２４    永久磁石
５，１５，２５    雄ねじ
６，１６    蓋体
２１ａ    柄の部分
２１ｂ    先端部分
３２    突起部
３３    凹凸
【図１】
2007282904.tif 000003
【図２】
2007282904.tif 000004
【図３】
2007282904.tif 000005
【図４】
2007282904.tif 000006
【図５】
2007282904.tif 000007
【図６】
2007282904.tif 000008